(57)【要約】      （修正有）【課題】病気管理方法及びこれを行うための装置を提供する。【解決手段】病気管理方法は、牛の胃に安着したバイオセンサカプセルから牛の生体情報を受信するステップと、生体情報を分析し、分析結果に基づいて牛の健康状態を判断するステップと、牛の健康状態に関する情報を牛を管理するユーザに送信するステップとを含み、健康状態は、牛の発情及び分娩に対する繁殖関連状態、病気状態、メタンガス発生状態、及び反芻胃の活動状態のうち少なくとも１つを含む。【選択図】図１
2018074992.tif 000002
【特許請求の範囲】
【請求項１】
牛の胃に安着したバイオセンサカプセルから前記牛の生体情報を受信するステップと、
前記生体情報を分析し、分析結果に基づいて前記牛の健康状態を判断するステップと、
前記牛の健康状態に関する情報を前記牛を管理するユーザに送信するステップと、
を含み、
前記健康状態は、前記牛の発情及び分娩に対する繁殖関連状態、病気状態、メタンガス発生状態、及び反芻胃の活動状態のうち少なくとも１つを含む、牛の病気管理方法。
【請求項２】
前記判断するステップは、前記生体情報に含まれた前記胃の角速度情報、加速度情報、及び温度情報に基づいて前記牛の発情状態又は分娩状態を判断するステップを含む、請求項１に記載の牛の病気管理方法。
【請求項３】
前記判断するステップは、前記生体情報に含まれた前記胃の角速度情報、加速度情報、及びＰＨ濃度情報に基づいて前記胃の活動状態を判断するステップを含む、請求項１に記載の牛の病気管理方法。
【請求項４】
前記判断するステップは、前記生体情報に含まれた前記胃のメタンガス発生情報に基づいて前記胃で発生したメタンガスの発生量を判断するステップを含む、請求項１に記載の牛の病気管理方法。
【請求項５】
前記判断するステップは、前記生体情報に含まれた前記胃の角速度情報、加速度情報、温度情報、ＰＨ濃度、及びメタンガス発生情報に基づいて前記牛の病気状態を判断するステップを含む、請求項１に記載の牛の病気管理方法。
【請求項６】
前記健康状態に応じて区分されるアラームを提供するステップをさらに含む、請求項１に記載の牛の病気管理方法。
【請求項７】
前記健康状態に関する情報は、
前記牛の発情、受精、妊娠、及び分娩に関する情報と、
前記牛の最近発情日、受精予定日、最近受精日、鑑定予定日、分娩予定日、乾乳予定日、最近分娩日、及び発情予定日に関する情報を含む、請求項１に記載の牛の病気管理方法。
【請求項８】
通信モジュールと、
牛の胃に安着したバイオセンサカプセルから前記牛の生体情報を前記通信モジュールによって受信し、前記生体情報を分析し、分析結果に基づいて前記牛の健康状態を判断し、前記牛の健康状態に関する情報を前記牛を管理するユーザに送信するコントローラと、
を含み、
前記健康状態は、前記牛の発情及び分娩に対する繁殖関連状態、病気状態、メタンガス発生状態、及び反芻胃の活動状態のうち少なくとも１つを含む、病気管理サーバ。
【請求項９】
前記コントローラは、前記生体情報に含まれた前記胃の角速度情報、加速度情報、及び温度情報に基づいて前記牛の発情状態又は分娩状態を判断する、請求項８に記載の病気管理サーバ。
【請求項１０】
前記コントローラは、前記生体情報に含まれた前記胃の角速度情報、加速度情報、及びＰＨ濃度情報に基づいて前記胃の活動状態を判断する、請求項８に記載の病気管理サーバ。
【請求項１１】
前記コントローラは、前記生体情報に含まれた前記胃のメタンガス発生情報に基づいて前記胃で発生したメタンガスの発生量を判断する、請求項８に記載の病気管理サーバ。
【請求項１２】
前記コントローラは、前記生体情報に含まれた前記胃の角速度情報、加速度情報、温度情報、ＰＨ濃度、及びメタンガス発生情報に基づいて前記牛の病気状態を判断する、請求項８に記載の病気管理サーバ。
【請求項１３】
前記コントローラは、前記健康状態に応じて区分されるアラームを提供する、請求項８に記載の病気管理サーバ。
【請求項１４】
前記健康状態に関する情報は、
前記牛の発情、受精、妊娠、及び分娩に関する情報と、
前記牛の最近発情日、受精予定日、最近受精日、鑑定予定日、分娩予定日、乾乳予定日、最近分娩日、及び発情予定日に関する情報と、
を含む、請求項８に記載の病気管理サーバ。
【請求項１５】
バイオセンサカプセルにおいて、
前記バイオセンサカプセルを牛の生体内一定場所に安着するための重さ錘と、
前記牛の生体情報を取得するための複数のセンサと、
前記生体情報を送信するための通信モジュールと、
を含み、
前記通信モジュールは、ＬＯＲＡ通信モジュールである、バイオセンサカプセル。
【請求項１６】
前記複数のセンサは、
前記牛の胃の加速度値を検出するための加速度センサと、
前記牛の胃の角速度値を検出するためのジャイロセンサと、
前記牛の胃の温度値を検出するための温度センサと、
前記牛の胃で発生するメタンガスの発生量を検出するためのメタンセンサと、
前記牛の胃のＰＨ濃度を検出するためのＰＨセンサと、
を含む、請求項１５に記載のバイオセンサカプセル。
【発明の詳細な説明】
【技術分野】
【０００１】
実施形態は、病気管理方法及びこれを行うための装置に関する。
【背景技術】
【０００２】
一般に、畜舍とは、鶏や鴨、豚又は牛のような家畜を育てるための建物を称し、このような畜舍は、家畜の成長によい影響を与えると共に、その管理を容易にするものである。
しかし、上記のような畜舍内には複数の家畜が集団生活を営んでいるが、集団生活により伝染性を有する病気が誘発する場合は畜舍内の全ての家畜に病気が発生し、極めて深刻な被害を受けることになる。
【０００３】
特に、最近では、狂牛病のような病気によって毎年数多い家畜が死んで畜産農家に莫大な損害を及ぼしている。
【発明の概要】
【発明が解決しようとする課題】
【０００４】
実施形態は牛の病気を管理する技術を提供することにある。
また、実施形態は、牛の健康状態を判断するために生体情報を送信するバイオカプセルセンサは高い収集ボックス（ｇａｔｈｅｒｉｎｇ  ｂｏｘ）を必要とせず、直ちに牛に経口投与して容易かつ手軽に設置する技術を提供することにある。
【課題を解決するための手段】
【０００５】
一実施形態に係る病気管理方法は、牛の胃に安着したバイオセンサカプセルから前記牛の生体情報を受信するステップと、前記生体情報を分析し、分析結果に基づいて前記牛の健康状態を判断するステップと、前記牛の健康状態に関する情報を前記牛を管理するユーザに送信するステップとを含み、前記健康状態は、前記牛の発情及び分娩に対する繁殖関連状態、病気状態、メタンガス発生状態、及び反芻胃の活動状態のうち少なくとも１つを含む。
【０００６】
前記判断するステップは、前記生体情報に含まれた前記胃の角速度情報、加速度情報、及び温度情報に基づいて前記牛の発情状態又は分娩状態を判断するステップを含み得る。
前記判断するステップは、前記生体情報に含まれた前記胃の角速度情報、加速度情報、及びＰＨ濃度情報に基づいて前記胃の活動状態を判断するステップを含み得る。
【０００７】
前記判断するステップは、前記生体情報に含まれた前記胃のメタンガス発生情報に基づいて前記胃で発生したメタンガスの発生量を判断するステップを含み得る。
前記判断するステップは、前記生体情報に含まれた前記胃の角速度情報、加速度情報、温度情報、ＰＨ濃度、及びメタンガス発生情報に基づいて前記牛の病気状態を判断するステップを含み得る。
【０００８】
前記方法は、前記健康状態に応じて区分されるアラームを提供するステップをさらに含み得る。
前記健康状態に関する情報は、前記牛の発情、受精、妊娠、及び分娩に関する情報と、前記牛の最近発情日、受精予定日、最近受精日、鑑定予定日、分娩予定日、乾乳予定日、最近分娩日、及び発情予定日に関する情報を含み得る。
【０００９】
一実施形態に係る病気管理サーバは、通信モジュールと、牛の胃に安着したバイオセンサカプセルから前記牛の生体情報を前記通信モジュールによって受信し、前記生体情報を分析し、分析結果に基づいて前記牛の健康状態を判断し、前記牛の健康状態に関する情報を前記牛を管理するユーザに送信するコントローラとを含み、前記健康状態は、前記牛の発情及び分娩に対する繁殖関連状態、病気状態、メタンガス発生状態、及び反芻胃の活動状態のうち少なくとも１つを含む。
【００１０】
前記コントローラは、前記生体情報に含まれた前記胃の角速度情報、加速度情報、及び温度情報に基づいて前記牛の発情状態又は分娩状態を判断し得る。
前記コントローラは、前記生体情報に含まれた前記胃の角速度情報、加速度情報、及びＰＨ濃度情報に基づいて前記胃の活動状態を判断し得る。
【００１１】
前記コントローラは、前記生体情報に含まれた前記胃のメタンガス発生情報に基づいて前記胃で発生したメタンガスの発生量を判断し得る。
前記コントローラは、前記生体情報に含まれた前記胃の角速度情報、加速度情報、温度情報、ＰＨ濃度、及びメタンガス発生情報に基づいて前記牛の病気状態を判断し得る。
【００１２】
前記コントローラは、前記健康状態に応じて区分されるアラームを提供し得る。
前記健康状態に関する情報は、前記牛の発情、受精、妊娠、及び分娩に関する情報と、前記牛の最近発情日、受精予定日、最近受精日、鑑定予定日、分娩予定日、乾乳予定日、最近分娩日、及び発情予定日に関する情報とを含み得る。
【００１３】
一実施形態に係るバイオセンサカプセルは、前記バイオセンサカプセルを牛の生体内一定場所に安着するための重さ錘と、前記牛の生体情報を取得するための複数のセンサと、前記生体情報を送信するための通信モジュールとを含み、前記通信モジュールは、ＬＯＲＡ通信モジュールである。
【００１４】
前記複数のセンサは、前記牛の胃の加速度値を検出するための加速度センサと、前記牛の胃の角速度値を検出するためのジャイロセンサと、前記牛の胃の温度値を検出するための温度センサと、前記牛の胃で発生するメタンガスの発生量を検出するためのメタンセンサと、前記牛の胃のＰＨ濃度を検出するためのＰＨセンサとを含み得る。
【発明の効果】
【００１５】
本発明によると、牛の健康状態を判断するために生体情報を送信するバイオカプセルセンサは高い収集ボックスを必要とせず、直ちに牛に経口投与して容易かつ手軽に設置する技術を提供することができる。
【図面の簡単な説明】
【００１６】
【図１】一実施形態に係る病気管理システムの概略的な図である。
【図２】図１に示されたバイオセンサカプセルの概略的な図である。
【図３】図１に示された病気管理サーバの概略的なブロック図である。
【図４Ａ】病気管理サーバから提供される牛の健康状態に関する情報の例を示す。
【図４Ｂ】病気管理サーバから提供される牛の健康状態に関する情報の例を示す。
【図４Ｃ】病気管理サーバから提供される牛の健康状態に関する情報の例を示す。
【図４Ｄ】病気管理サーバから提供される牛の健康状態に関する情報の例を示す。
【図５】図１に示された病気管理サーバの動作方法を説明するためのフローチャートである。
【発明を実施するための形態】
【００１７】
本明細書に開示されている本発明の概念による実施形態に対して特定の構造的又は機能的な説明は、単に本発明の概念による実施形態を説明するための目的として例示されたものであり、本発明の概念による実施形態は様々な形態で実施され、本明細書に説明された実施形態に限定されることはない。
【００１８】
本発明の概念による実施形態は様々な変更を加えることができ、様々な形態を有し得るため、実施形態を図面に例示及び本明細書の詳細に基づいて説明する。しかし、これは本発明の概念による実施形態を特定の開示形態に限定されるものではなく、本発明の思想及び技術範囲に含まれる変更、均等物、又は、代替物を含む。
【００１９】
第１又は第２などの用語を複数の構成要素を説明するために用いることができるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００２０】
いずれかの構成要素が他の構成要素に「連結されて」いると言及された場合、その次の構成要素に直接的に連結されてもよく、又は中間に他の構成要素が存在することもあり得ると理解されなければならない。一方いずれかの構成要素が他の構成要素に「直接連結されて」いるか「直接接続されて」いと言及される場合には、中間に他の構成要素が存在しないものとして理解されなければならない。構成要素間の関係を説明する表現、例えば「〜間に」と「すぐ〜の間に」、又は「〜に隣接する」と「〜に直接に隣接する」などのように解釈されなければならない。
【００２１】
本明細書で用いた用語は、単に特定の実施形態を説明するために用いられるものであって、本発明を限定しようとする意図はない。単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００２２】
異なる定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００２３】
以下、実施形態を添付する図面を参照しながら詳細に説明する。しかし、特許出願の範囲がこのような実施形態によって制限されたり限定されることはない。各図面に提示された同一の参照符号は同一の部材を示す。
【００２４】
図１は、一実施形態に係る病気管理システムの概略的な図であり、図４Ａ〜図４Ｄは、病気管理サーバから提供される牛の健康状態に関する情報の例を示す。
図１を参照すると、病気管理システム１０は、複数の牛１００−１〜１００−ｎ（ｎは１より大きい自然数）、病気管理サーバ３００、及びユーザ装置４００を含む。
【００２５】
複数の牛１００−１〜１００−ｎは、バイオセンサカプセル２００が装着される。複数の牛１００−１〜１００−ｎは、ユーザ装置４００のユーザが管理している牛であり得る。また、複数の牛１００−１〜１００−ｎのうちの一部は、ユーザ装置４００のユーザ以外のユーザによって管理される牛であってもよい。
【００２６】
複数の牛１００−１〜１００−ｎは、病気管理サーバ３００によって管理されるためにＩＤが割り当てられる。例えば、複数の牛１００−１〜１００−ｎは、バイオセンサカプセル２００に割り当てられたＩＤに区分し、病気管理サーバ３００によって管理され得る。
【００２７】
複数の牛１００−１〜１００−ｎは、バイオセンサカプセル２００によって生体情報を病気管理サーバ３００に送信する。ここで、バイオセンサカプセル２００は、複数の牛１００−１〜１００−ｎの生体内の一定の場所に入って安着する。ここで、バイオセンサカプセル２００は、複数の牛１００−１〜１００−ｎから生体情報を取得し、生体情報を病気管理サーバ３００に送信する。
【００２８】
病気管理サーバ３００は、複数の牛１００−１〜１００−ｎを管理し、遠隔で複数の牛１００−１〜１００−ｎを管理するためのサービスをユーザ装置４００に提供する。例えば、病気管理サーバ３００は、複数の牛１００−１〜１００−ｎのバイオセンサカプセル２００から取得された生体情報に基づいて複数の牛１００−１−１００−ｎを管理するためのサービスを提供し得る。
【００２９】
病気管理サーバ３００は、生体情報を分析して分析結果に基づいて複数の牛１００−１〜１００−ｎそれぞれの健康状態を判断し、健康状態をユーザ装置４００に送信する。健康状態は、牛の発情及び分娩に対する繁殖関連状態、病気状態、メタンガス発生状態、及び反芻胃の活動状態のうち少なくとも１つを含む。
【００３０】
また、病気管理サーバ３００は、健康状態に応じて区分されるアラームをユーザ装置４００に提供する。
病気管理サーバ３００から提供するサービスを実行し得る病気管理サービスアプリケーションは、ユーザ装置４００にインストールされて実行され、病気管理サービスに関する機能を行う。一例として、病気管理サービスアプリケーションは、病気管理サーバ３００からダウンロードされて設けられる。異なる例として、病気管理サービスアプリケーションは、アップストア（ａｐｐ  ｓｔｏｒｅ）又はアンドロイドマーケット（ａｎｄｒｏｉｄ  ｍａｒｋｅｔ）でダウンロードされて設けられてもよい。
【００３１】
ユーザ装置４００は、病気管理サーバ３００から複数の牛１００−１〜１００−ｎに対する健康状態及び／又は健康状態に応じて区分されるアラームが提供され得る。例えば、健康状態に関する情報は、牛の発情、受精、妊娠、及び分娩に関する情報を含み得る。また、繁殖関連状態は、牛の最近発情日、受精予定日、最近受精日、鑑定予定日、分娩予定日、乾乳予定日、最近分娩日、及び発情予定日に関する情報を含む。
【００３２】
例えば、ユーザ装置４００が病気管理サーバ３００から提供される健康状態に関する情報について図４Ａ〜図４Ｄに示す通りである。
ここで、ユーザ装置４００は、パソコン（ＰＣ）、データサーバ、又は、携帯用電子装置に実現され得る。
【００３３】
携帯用電子装置は、ラップトップコンピュータ、移動電話機、スマートフォン、タブレットパソコン（ＰＣ）、モバイルインターネットデバイス（ＭＩＤ）、ＰＤＡ（ｐｅｒｓｏｎａｌ  ｄｉｇｉｔａｌ  ａｓｓｉｓｔａｎｔ）、ＥＤＡ（ｅｎｔｅｒｐｒｉｓｅ  ｄｉｇｉｔａｌ  ａｓｓｉｓｔａｎｔ）、デジタルスチールカメラ、デジタルビデオカメラ、ＰＭＰ（ｐｏｒｔａｂｌｅ  ｍｕｌｔｉｍｅｄｉａ  ｐｌａｙｅｒ）、ＰＮＤ（ｐｅｒｓｏｎａｌ  ｎａｖｉｇａｔｉｏｎ  ｄｅｖｉｃｅ又はｐｏｒｔａｂｌｅ  ｎａｖｉｇａｔｉｏｎ  ｄｅｖｉｃｅ）、携帯用ゲームコンソール、ｅ−ｂｏｏｋ、又は、スマートデバイスに実現される。スマートデバイスは、スマートワッチ、スマートバンド、又は、スマートリングに実現される。
【００３４】
上述したように、ユーザは、ユーザ装置４００を用いて複数の個体、例えば、複数の牛１００−１〜１００−ｎを一括に遠隔管理し、持続的に履歴管理してリアルタイムに状態が報告され、健康状態に応じて区分されるアラームの提供を受けることにより迅速に対応することができる。
【００３５】
図２は、図１に示されたバイオセンサカプセルの概略的な図である。
図２を参照すると、バイオセンサカプセル２００は、複数のセンサ２１０〜２５０、バッテリ２６０、重さ錘２７０、通信モジュール２８０、及びアンテナ２９０を含む。
【００３６】
バイオセンサカプセル２００は、牛の生体内の一定の場所、例えば、胃に入って安着する。ここで、バイオセンサカプセル２００は、生体内にある水分や胃酸から内部を保護するためのケース（図示せず）により保護され得る。
【００３７】
加速度センサ２１０は、牛の胃の加速度情報を取得する。例えば、加速度センサ２１０は、リアルタイムに牛の胃の加速度値を検出し、加速度情報を生成する。
ジャイロセンサ２２０は、牛の胃の角速度情報を取得する。例えば、ジャイロセンサ２２０は、リアルタイムに牛の胃の角速度値を検出し、角速度情報を生成する。
【００３８】
温度センサ２３０は、牛の胃の温度情報を取得する。例えば、温度センサ２３０は、リアルタイムに牛の胃の温度値を検出し、温度情報を生成する。
メタンセンサ２４０は、牛の胃のメタンガス発生情報を取得する。例えば、メタンセンサ２４０は、リアルタイムに牛の胃で発生するメタンガスの発生量を検出し、メタンガス発生情報を生成する。
【００３９】
ＰＨセンサ２５０は、牛の胃のＰＨ情報を取得する。例えば、ＰＨセンサ２５０は、リアルタイムに牛の胃のＰＨ濃度を検出し、ＰＨ情報を生成する。
加速度情報、角速度情報、温度情報、メタンガス発生情報、及びＰＨ情報は、通信モジュール２８０及びアンテナ２９０によって病気管理サーバ３００に送信され得る。
【００４０】
バッテリ２６０は、バイオセンサカプセル２００の各構成２１０、２２０、２３０、２４０、２５０、２８０、及び２９０に電源を供給する。例えば、バッテリ２６０は、様々な形態の乾電池に実現され得る。
【００４１】
重さ錘２７０は、バイオセンサカプセル２００が牛の生体内に注入されて外部に排出されず、牛の生体内一定の場所、例えば、胃に入って安着できるように重さを加える役割を行う。すなわち、重さ錘２７０は、牛の反芻過程でバイオセンサカプセル２００が外へ排出することなく牛の胃に安着する十分な重さを有する。
【００４２】
バイオセンサカプセル２００が重さ錘２７０によって外部に排出されないことは次の通りに説明される。
牛は、草食動物の中でも肉食動物からいつ攻撃を受けるか分からないため、急いで草を噛むことなく腹に入れてから安全な場所で食物を再び反芻する反芻動物である。
【００４３】
反芻動物は４個の胃を有する。同様に牛の胃も４個からなっている。第１胃（こぶ胃）は牛が急に食べた食物を格納する空間であって、前記牛の胃の全体体積のうち８０％を占めている。第２胃（例えば、蜂巣胃）は、食物を混ぜて再び口に吐きもどす役割をする。口で吐き戻した食物は第３胃（重弁胃）、第４胃（しわ胃）を経て腸に移動する。
【００４４】
例えば、噛まないで飲み込んだ食物は塊になって最も大きい第１胃（こぶ胃）に入って、ここで食物はしっとりとしてやわらかくなって第２胃（蜂巣胃）に入る。食物は、ここで適当なサイズに割られるが、暇なときに第２胃（蜂巣胃）から食物を口に吐き戻して再度噛み始める。これによって、牛は一日中何かを噛んでいることである。噛んでから再び飲み込むと、食物は第３胃（重弁胃）、第４胃（しわ胃）に移動しながら、最終的に腸に移動する。この過程により食物が消化されるのである。
【００４５】
このように複雑な過程が３日以上かかり、牛はこのような消化過程により食物に入っている全ての栄養分を摂取できる。一般に、元気な牛は飼料を食べた後３０〜４０分から反芻をし初め、前記反芻は４０〜５０分の間に６〜８回に反芻し、５０〜６０ｋｇ反芻する。すなわち、牛は一日に８時間を食べて８時間を反芻し、８時間を休む。
【００４６】
バイオセンサカプセル２００が牛の生体内に注入されるとき、バイオセンサカプセル２００はほとんどの牛の体内の一定場所、例えば、第１胃（こぶ胃）に安着する。第１胃（こぶ胃）は牛の胃の全体体積のうち８０％を占め、数個の空間に構成されて安着するのに適する場所であるためである。
【００４７】
前述したように牛は、食物を反芻する反芻動物であり、毎瞬間第１胃（こぶ胃）と第２胃（蜂巣胃）にある食物を口に吐き戻して相当な重さの量を反芻する。この過程で、バイオセンサカプセル２００は食物に混ざって再び口に出ることがある。
【００４８】
また、第１胃（こぶ胃）は数個の空間からなり、牛の胃の中の食物は水分と共に混ざっている場合が多い。ここで、バイオセンサカプセル２００が十分な重さを有しない場合、食物と混ざる過程で水分により食物上に浮かび上がる現象が生じ、牛の反芻作用の過程で食物と共に牛の口から排出される。
【００４９】
ここで、重さ錘２７０を含んでいるバイオセンサカプセル２００は、牛の胃の中の様々な空間を食物と共に混合して移動しながら重力によって移動空間の底に沈んで移動し、バイオセンサカプセル２００は自然に適する位置に安着することで生体の外側へ排出することなく、バイオセンサカプセル２００に含まれた複数のセンサ２１０〜２５０が牛の内部情報を正確に測定することができる。
【００５０】
通信モジュール２８０とアンテナ２９０は、バイオセンサカプセル２００と病気管理サーバ３００との間の通信を行うためのものである。すなわち、バイオセンサカプセル２００と病気管理サーバ３００は、通信モジュール２８０及びアンテナ２９０によって信号（又はデータ）のやり取りを行う。
【００５１】
ここで、通信モジュール２８０は、ＬＯＲＡ通信モジュールに実現され得る。ここで、バイオセンサカプセル２００と病気管理サーバ３００との間に 収集ボックスは必要でなく、バイオセンサカプセル２００は通信モジュール２８０によって２０ｋｍ内に通信網に接続して生体情報を病気管理サーバ３００に送信できる。
【００５２】
複数のセンサ２１０〜２５０は、ＰＣＢ（ｐｒｉｎｔｅｄ  ｃｉｒｃｕｉｔ  ｂｏａｒｄ）に集積され得る。また、通信モジュール２８０及び／又はアンテナ２９０もＰＣＢに集積され得る。
【００５３】
上述したように、バイオセンサカプセル２００は、高い収集ボックスを必要とせず、牛に直ちに経口投与することができることから、容易かつ手軽に設置できる。
図３は、図１に示された病気管理サーバの概略的なブロック図である。
【００５４】
図３を参照すると、病気管理サーバ３００は、通信モジュール３１０及びコントローラ３３０を含む。
通信モジュール３１０は、病気管理サーバ３００とバイオセンサカプセル２００との間で通信を行う。また、通信モジュール３１０は、病気管理サーバ３００とユーザ装置４００との間で通信を行う。すなわち、病気管理サーバ３００とバイオセンサカプセル２００は、通信モジュール３１０を介して信号（又はデータ）をやり取りし、病気管理サーバ３００とユーザ装置４００は、通信モジュール３１０を介して信号（又はデータ）をやり取りする。
【００５５】
コントローラ３３０は、病気管理サーバ３００の全般的な動作を制御する。コントローラ３３０は、通信モジュール３１０によってバイオセンサカプセル２００から生体情報を受信する。
【００５６】
コントローラ３３０は生体情報を分析し、分析結果に基づいて牛の健康状態を判断する。健康状態は、牛の発情及び分娩に対する繁殖関連状態、病気状態、メタンガス発生状態、及び反芻胃の活動状態の少なくとも１つを含む。
【００５７】
一例として、コントローラ３３０は、生体情報に含まれた角速度情報、加速度情報、及び温度情報に基づいて牛の発情状態及び／又は分娩状態を判断する。
他の例として、コントローラ３３０は、生体情報に含まれた角速度情報、加速度情報、及びＰＨ濃度情報に基づいて牛の胃の活動状態を判断する。
【００５８】
更なる例として、コントローラ３３０は、生体情報に含まれたメタンガス発生情報に基づいて牛の胃で発生したメタンガスの発生量を判断する。
更なる例として、コントローラ３３０は、生体情報に含まれた角速度情報、加速度情報、温度情報、ＰＨ濃度、及びメタンガス発生情報に基づいて牛の病気状態を判断する。
【００５９】
コントローラ３３０は、通信モジュール３１０によって健康状態に関する情報をユーザ装置４００に送信する。ここで、繁殖関連状態に関する情報は、牛の発情、受精、妊娠、及び分娩に関する情報を含む。また、繁殖関連状態に関する情報は、牛の最近発情日、受精予定日、最近受精日、鑑定予定日、分娩予定日、乾乳予定日、最近分娩日、及び発情予定日に関する情報を含む。
【００６０】
また、病気管理サーバ３００は、健康状態に応じて区分されるアラーム（例えば、体温上昇警告アラーム、体温下落警告アラーム、分娩予定日アラーム、鑑定予定日アラーム、乾乳予定日アラーム、又は、発情予定日アラームなど）をユーザ装置４００に提供する。
【００６１】
本明細書におけるモジュールは、本明細書で説明される各名称による機能及び動作を行うハードウェアを意味し、また、特定機能と動作を行うコンピュータプログラムコードを意味することもあり、又は、特定機能と動作を実行させるコンピュータプログラムコードが搭載された電子的記録媒体、例えば、プロセッサ又はマイクロプロセッサを意味する。
【００６２】
言い換えれば、モジュールとは、本発明の技術的な思想を行うためのハードウェア及び／又は前記ハードウェアを駆動するためのソフトウェアの機能的及び／又は構造的な結合を意味する。
【００６３】
図５は、図１に示された病気管理サーバの動作方法を説明するためのフローチャートである。
図５を参照すると、コントローラ３３０は、牛の胃に安着したバイオセンサカプセル２００から牛の生体情報を通信モジュール３１０によって受信する（Ｓ５１０）。
【００６４】
コントローラ３３０は生体情報を分析し、分析結果に基づいて牛の健康状態を判断する（Ｓ５３０）。
コントローラ３３０は、牛の健康状態に関する情報を通信モジュール３１０によって牛を管理するユーザに送信する（Ｓ５５０）。ここで、健康状態は、前記牛の発情及び分娩に対する繁殖関連状態、病気状態、メタンガス発生状態、及び反芻胃の活動状態のうち少なくとも１つを含む。
【００６５】
以上述した装置は、ハードウェア構成要素、ソフトウェア構成要素、又はハードウェア構成要素及びソフトウェア構成要素の組合せで具現される。例えば、本実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当該技術分野で通常の知識を有する者は、処理装置が複数の処理要素（ｐｒｏｃｅｓｓｉｎｇ  ｅｌｅｍｅｎｔ）及び／又は複数類型の処理要素を含むことが分かる。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【００６６】
ソフトウェアは、コンピュータプログラム、コード、命令、又はこれらのうちの１つ以上の組合せを含み、希望通りに動作するように処理装置を構成し、独立的又は結合的に処理装置に命令する。ソフトウェア及び／又はデータは、処理装置によって解釈され、処理装置に命令又はデータを提供するためのあらゆる類型の機械、構成要素、物理的装置、仮想装置、コンピュータ格納媒体又は装置、或いは送信される信号波を介して永久的又は一時的に具現化される。ソフトウェアは、ネットワークに接続されたコンピュータシステム上に分散され、分散された方法で格納されるか又は実行される。ソフトウェア及びデータは１つ以上のコンピュータ読み取り可能な記録媒体に格納される。
【００６７】
本実施形態による方法は、多様なコンピュータ手段を介して実施されるプログラム命令の形態で具現され、コンピュータ読み取り可能な記録媒体に記録される。記録媒体は、プログラム命令、データファイル、データ構造などを単独又は組合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明の動作を実行するために１つ以上のソフトウェアモジュールとして作動するように構成してもよく、その逆も同様である。
【００６８】
上述したように実施形態をたとえ限定された図面によって説明したが、当技の術分野で通常の知識を有する者であれば、前記に基づいて様々な技術的な修正及び変形を適用することができる。例えば、説明された技術が説明された方法と異なる順序で実行されたり、及び／又は説明されたシステム、構造、装置、回路などの構成要素が説明された方法と異なる形態で結合又は組み合わせられたり、他の構成要素又は均等物によって置き換えたり置換されても適切な結果を達成することができる。
【００６９】
したがって、他の具現、他の実施形態、及び特許請求の範囲と均等なものも後述する特許請求の範囲に属する。
【図１】
2018074992.tif 000003
【図２】
2018074992.tif 000004
【図３】
2018074992.tif 000005
【図４Ａ】
2018074992.tif 000006
【図４Ｂ】
2018074992.tif 000007
【図４Ｃ】
2018074992.tif 000008
【図４Ｄ】
2018074992.tif 000009
【図５】
2018074992.tif 000010